(57)【要約】      （修正有）【課題】大量の液体がこぼされても、また、押下された状態で液体がこぼされても、優れた防水性能を保持でき、操作性にも優れた遊技機用押しボタンを提供する。【解決手段】遊技機用押しボタンは、キートップ１２の外周部にキートップ１２と一体かつフランジ状に設けられ、外側端部がベース１３とベゼル１１とに挟持された弾性体部１４と、キートップ１２とベゼルと弾性体部１４とで区画された空間Ｓと連通し、空間Ｓに浸入した液体を外部に排出する排出路３０とを備える。【選択図】図１２
2020039813.tif 000002
【特許請求の範囲】
【請求項１】
ベースと、
前記ベースに押下可能に支持されたボタン本体と、
前記ベースと前記ボタン本体との間に配され、押下された前記ボタン本体を復帰させるバネ部品と、
内側に前記ボタン本体の中央部が押下方向に移動する開口を有し、前記ボタン本体の外周部を前記ベースの反対側より覆い、前記ベースに固定された枠部と、
前記ボタン本体の外周部に当該ボタン本体と一体かつフランジ状に設けられ、外側端部が前記ベースと前記枠部とに挟持された弾性体部と、
前記ボタン本体と前記枠部と前記弾性体部とで区画された空間と連通し、該空間に浸入した液体を外部に排出する排出路と、を備える遊技機用押しボタン。
【請求項２】
前記排出路は、
前記枠部における前記外側端部と当接する領域に形成された凹部と、
前記ベース又は前記枠部又はその両方における前記凹部の対応箇所に形成された溝部と、を備える請求項１に記載の遊技機用押しボタン。
【請求項３】
前記外側端部の前記枠部側の面に形成された第１リブと、
前記枠部に形成された、前記第１リブが嵌合する第１リブ受溝と、を備える請求項１又は２に記載の遊技機用押しボタン。
【請求項４】
前記外側端部の前記ベース側の面に形成された第２リブと、
前記ベースに形成された、前記第２リブが嵌合する第２リブ受溝と、を備える請求項３に記載の遊技機用押しボタン。
【請求項５】
前記弾性体部に一体に形成され、前記ボタン本体の押下時にクリック感を与えるクリック創出部を備える請求項１〜４の何れか１項に記載の遊技機用押しボタン。
【請求項６】
前記ボタン本体の押下方向に配され、前記ボタン本体が押下されたことを検出する押下検出部と、
前記弾性体部に一体に形成され、前記ボタン本体が押下された際に前記押下検出部のセンサ部と接触する押圧部と、を備える請求項１〜５の何れか１項に記載の遊技機用押しボタン。
【請求項７】
前記弾性体部の前記枠部側の面に、前記排出路に向かって低くなる傾斜部を有する請求項１〜６の何れか１項に記載の遊技機用押しボタン。
【請求項８】
前記ベースに形成され、前記ベースの内部と外部との空気の出入りを可能にする空気穴を備える請求項１〜７の何れか１項に記載の遊技機用押しボタン。
【発明の詳細な説明】
【技術分野】
【０００１】
本発明は、遊技機用押しボタンに関し、より詳細には遊技機用押しボタンの防止構造に関する。
【背景技術】
【０００２】
カジノ等の遊技施設には、様々な遊技機メーカが作製したスロットマシン等の遊技機が複数設置され、遊技者は好みの遊技機を選択して遊技を行う。そのため、遊技機には、遊技者を引き付けて遊技を行いたいと思わせるアピール性が必要となる。
【０００３】
遊技機において、操作部は遊技者が対峙する前面（正面）の外観上目立つ位置に設けられると共に、遊技者が直接操作する部分である。そのため、操作部は遊技者に対して遊技機をアピールする重要な部分で、操作部に配置される押しボタン（遊技機用押しボタン）もまた遊技機をアピールする重要な部品である。
【０００４】
操作部および押しボタンを目立たせる構成として、従来、操作部に表示装置を配置し、表示装置の上に透明な押しボタンを載せて押しボタン越しに表示された画像を視認させる構成がある。また、上記押しボタンを、表示素子を用いて発光させるなどの手法もある。
【０００５】
ところで、このような遊技機の操作部には、遊技機の操作部であるが故に回避できない問題として、遊技中に飲料等の液体が操作部にこぼされる問題がある。こぼされた液体が押しボタンの内部に浸入すると、押下を検出する検出素子や発光素子等の電気部品が濡れて故障の原因となる。また、押しボタン越しに表示画像を見る視認領域に液体が浸入すると、表示画像が見え難くなったりする。
【０００６】
本願出願人は、このような遊技機に配置された押しボタンの防水対策技術として、押しボタンの内部に浸入した液体を、弾性体よりなるシートの上面を伝わせて外部に排出する構成を特許出願している（特許文献１）。
【先行技術文献】
【特許文献】
【０００７】
【特許文献１】特許第６０１５２４１号明細書
【発明の概要】
【発明が解決しようとする課題】
【０００８】
上述した特許文献１に記載された防水対策技術は、こぼされた液体を、シートを伝わせて外部に排出するといった画期的な技術であるが、未だ改善の余地を有している。
【０００９】
その１つとして、大量の液体が浸入してきた場合に、液体がシート上の排出経路から溢れ出て想定外の場所に浸入する場合がある。また、押しボタンが押下された状態で液体がこぼされることについては考慮されていない。
【００１０】
本発明の一態様は、大量の液体がこぼされても、また、押下された状態で液体がこぼされても、優れた防水性能を保持でき、操作性にも優れた押し遊技機用押しボタンを実現することを目的とする。
【課題を解決するための手段】
【００１１】
上記の課題を解決するために、本発明の一態様に係る遊技機用押しボタンは、ベースと、前記ベースに押下可能に支持されたボタン本体と、前記ベースと前記ボタン本体との間に配され、押下された前記ボタン本体を復帰させるバネ部品と、内側に前記ボタン本体の中央部が押下方向に移動する開口を有し、前記ボタン本体の外周部を前記ベースの反対側より覆い、前記ベースに固定された枠部と、前記ボタン本体の外周部に当該ボタン本体と一体かつフランジ状に設けられ、外側端部が前記ベースと前記枠部とに挟持された弾性体部と、前記ボタン本体と前記枠部と前記弾性体部とで区画された空間と連通し、該空間に浸入した液体を外部に排出する排出路と、を備える。
【００１２】
上記構成によれば、ボタン本体の外周部に一体かつフランジ状に設けられ、外側端部がベースと枠部とに挟持された弾性体部にて、ベース内部への液体の挿入が阻止される。ボタン本体の外周部と枠部の間より液体は浸入するものの、弾性体部におけるベースと枠部とに挟持された外側端部が、防水パッキンとして機能して、ベースと枠部との隙間からベース内部への浸入を阻止する。また、弾性体部はボタン本体に一体に形成されているので、弾性体部とボタン本体とのつなぎ目から液体がベース内部に浸入することもない。
【００１３】
これにより、ベースの内部に電気部品が配置されていたとしても、該電気部品が液体と接触することを防ぐことができる。また、遊技機用押しボタンの裏面側に表示装置が設置され、遊技機用押しボタンが、ボタン本体越しに表示装置の画像を視認させるように構成されていたとしても、その視認領域に液体が浸入して画像の視認性が損なわれることを防ぐことができる。
【００１４】
ところで、このように弾性体部でベース内部への液体の浸入経路を塞ぐことで、ベース内部への液体の侵入は阻止できるが、ボタン本体と枠部と弾性体部とで区画された空間に残留した液体が、ボタン本体の操作性を低下させることがある。それは、液体が糖分を含んでいる場合などであり、粘化してボタン本体の操作性を阻害する。
【００１５】
そこで、上記構成では、さらに、ボタン本体と枠部と弾性体部とで区画された空間と連通し、該空間に浸入した液体を外部に排出する排出路を備えている。これにより、排出路を介して液体はボタン本体と枠部と弾性体部とで区画された空間に溜まることなく外部に排出されるので、操作性の低下を防止することができる。
【００１６】
本発明の一態様に係る遊技機用押しボタンにおいて、前記排出路は、前記枠部における前記外側端部と当接する領域に形成された凹部と、前記ベース又は前記枠部又はその両方における前記凹部の対応箇所に形成された溝部と、を備える構成であってもよい。
【００１７】
上記構成によれば、ボタン本体と枠部と弾性体部とで区画された空間と連通し、空間に浸入した液体を外部に排出する排出路を容易に形成することができる。
【００１８】
本発明の一態様に係る遊技機用押しボタンにおいて、前記外側端部の前記枠部側の面に形成された第１リブと、前記枠部に形成された、前記第１リブが嵌合する第１リブ受溝と、を備える構成であってもよい。
【００１９】
上記構成によれば、防止パッキンとして機能する外側端部の枠部側の面に形成された第１リブは、枠部に形成された第１リブ受溝に嵌合することで、ボタン本体の押下に伴って弾性体部の形状が変形しても形状を維持する。これにより、ボタン本体の押下に伴って弾性体部が変形しても、安定して防水性を維持でできる。
【００２０】
本発明の一態様に係る遊技機用押しボタンにおいて、前記外側端部の前記ベース側の面に形成された第２リブと、前記ベースに形成された、前記第２リブが嵌合する第２リブ受溝と、を備える構成であってもよい。
【００２１】
上記構成によれば、防止パッキンとして機能する外側端部のベース側の面に形成された第２リブは、ベースに形成された第２リブ受溝に嵌合することで、ボタン本体の押下に伴って弾性体部の形状が変形しても形状を維持する。これにより、ボタン本体の押下に伴って弾性体部が変形しても、安定して防水性を維持でできる。枠部側だけでなくベース側にもリブを設けることで、さらに防水性を高めることができる。
【００２２】
本発明の一態様に係る遊技機用押しボタンにおいて、前記弾性体部に一体に形成され、前記ボタン本体の押下時に変形してクリック感を与えるクリック創出部を備える構成であってもよい。
【００２３】
ボタン本体の押下時に変形してクリック感を与えるクリック創出部は、弾性体より構成される。したがって、上記構成にように、弾性体部にクリック創出部を一体に形成することで、コストダウン、部品点数の削減を図ることができる。
【００２４】
本発明の一態様に係る遊技機用押しボタンにおいて、前記ボタン本体の押下方向に配され、前記ボタン本体が押下されたことを検出する押下検出部と、前記弾性体部に一体に形成され、前記ボタン本体が押下された際に前記押下検出部のセンサ部と接触する押圧部と、を備える構成であってもよい。
【００２５】
ボタン本体の押下を押下検出部が検出する構成において、ボタン本体側に設けられ、ボタン本体の押下時に押下検出部と接触する押圧部は、弾性体より構成される。したがって、上記構成にように、弾性体部に押圧部を一体に形成することで、コストダウン、部品点数の削減を図ることができる。
【００２６】
本発明の一態様に係る遊技機用押しボタンにおいて、前記弾性体部の前記枠部側の面に、前記排出路に向かって低くなる傾斜部を有する構成であってもよい。
【００２７】
上記構成によれば、弾性体部の枠部側の面に設けられた、排出路に向かって低くなる傾斜部により、ボタン本体と枠部と弾性体部とで区画された空間に浸入した液体を排出口へと案内して、残留し難くすることができる。
【００２８】
本発明の一態様に係る遊技機用押しボタンにおいて、前記ベースに形成され、前記ベースの内部と外部との空気の出入りを可能にする空気穴を備える構成であってもよい。
【００２９】
弾性体部をボタン本体の外周部に一体に設け、その外側端部をベースと枠部とに挟持して防水パッキンとして機能させることで、ベース内部への液体の浸入経路をほぼ確実に塞ぐことができる。しかしながら、気密性が高くなる分、ボタン本体の復帰時、空気があらゆる隙間からベース内部へと強い力で吸い込まれ、経年変化でシール性の弱い部分が生じると、その部分から空気と共に液体が吸い込まれる恐れがある。
【００３０】
上記構成によれば、ベースに内部と外部との空気の出入りを可能にする空気穴が設けられているので、経年変化でシール性の弱い部分が生じたとしても、ボタン本体の復帰時の負圧による液体の吸込みを効果的に防止することができる。また、ボタン本体の復帰もスムーズになる。
【発明の効果】
【００３１】
本発明の一態様によれば、大量の液体がこぼされても、また、押下された状態で液体がこぼされても、優れた防水性能を保持でき、操作性にも優れた遊技機用押しボタンを実現することができる。
【図面の簡単な説明】
【００３２】
【図１】（ａ）は、本発明の実施形態１に係る図１の押しボタンが搭載されているスロットマシンの斜視図であり、（ｂ）はスロットマシンの上面図、（ｃ）は（ｂ）のＡ−Ａ線矢視断面図である。
【図２】（ａ）は、上記押しボタンの平面図、（ｂ）は正面図、（ｃ）は側面図である。
【図３】上記押しボタンの分解斜視図である。
【図４】図２の（ａ）のＢ−Ｂ線矢視断面図である。
【図５】上記押しボタンに備えられたベースの表側の斜視図である。
【図６】上記押しボタンに備えられたベゼルの裏側の斜視図である。
【図７】上記押しボタンに備えられたキートップおよび弾性体部の表側の斜視図である。
【図８】上記押しボタンに備えられたキートップおよび弾性体部の裏側の斜視図である。
【図９】（ａ）は、上記押しボタンにおける押下前の状態を示す押圧部周辺の要部断面図であり、（ｂ）は押下状態を示す押圧部周辺の要部断面図である。
【図１０】（ａ）は、上記押しボタンにおける押下前の状態を示すクリック創出部周辺の要部断面図であり、（ｂ）は押下状態を示すクリック創出部周辺の要部断面図である。
【図１１】上記押しボタンにおいて、キートップとベゼルとの間より浸入した液体がベース内部へ浸入することを阻止する状態を示す要部断面図である。
【図１２】図２の（ａ）のＣ−Ｃ線矢視断面図である。
【図１３】上記押しボタンにおける排出路を示すキートップおよび弾性体部の平面図である。
【図１４】上記押しボタンにおいて、キートップとベゼルとの間より浸入した液体を、排出路を用いて外部に排出する経路を示す要部断面図である。
【図１５】（ａ）〜（ｄ）は、上記押しボタンの平面視形状および排出路を設ける位置のバリエーションを示す説明図である。
【図１６】上記押しボタンの変形例を示す図であり、弾性体部における表側の面に傾斜部が設けられている構成を示す図である。
【発明を実施するための形態】
【００３３】
〔実施形態１〕
以下、本開示の一側面に係る実施の形態（以下、「本実施形態」とも表記する）を、図面に基づいて説明する。本実施形態では、本開示の遊技機用押しボタンの一態様として、スロットマシンなどの遊技機に搭載された遊技機用押しボタンを例示する。
【００３４】
§１  適用例
まず、図１、図２、図５を用いて、遊技機用押しボタン１０（以下、押しボタン１０）が適用される場面の一例について説明する。図１の（ａ）は、押しボタン１０が搭載されているスロットマシン１の斜視図であり、（ｂ）はスロットマシン１の上面図、図１の（ｃ）は図１の（ｂ）のＡ−Ａ線矢視断面図である。
【００３５】
図１の(ａ)（ｂ）に示すように、遊技機としてのスロットマシン１は、筐体４の上部の遊技者の目線に当たる位置に表示モニター２が設けられ、表示モニター２の下方の筐体４の下部前側（遊技者側）に操作部３が設けられている。操作部３は、筐体４の下部の前方に迫り出した突出部分の上面に設けられており、後側から前側に向かって下方に傾斜している。押しボタン１０はこの操作部３に配置されている。
【００３６】
図１の（ｃ）に示すように、操作部３には、ＬＣＤ等の表示装置５が配置され、この表示装置５の上方に押しボタン１０が設置されている。表示装置５の上方には、表示装置５の表示画面５ａを覆うように透明板６が配置されており、この透明板６に形成された開口６ａに押しボタン１０が嵌め込まれように設置されている。
【００３７】
図４の（ａ）〜（ｃ）、および図５に示すように、押しボタン１０は、ベース１３とベゼル（枠部）１１と、これらの間に押下可能に支持されたキートップ（ボタン本体）１２とを有する。キートップ１２は外周部に、キートップ１２と一体かつフランジ状に設けられ、外側端部１４２がベース１３とベゼル１１とに挟持された弾性体部１４を備える。さらに、キートップ１２とベゼル１１と弾性体部１４とで区画された空間Ｓと連通し、該空間Ｓに浸入した液体を外部に排出する排出路３０を備える。
【００３８】
このような押しボタン１０によれば、キートップ１２とベゼル１１との間より液体は浸入するものの、弾性体部１４におけるベース１３とベゼル１１とに挟持された外側端部１４２が、防水パッキンとして機能して、ベース１３とベゼル１１との隙間からベース１３内部への浸入を阻止する。また、弾性体部１４はキートップ１２に一体に形成されているので、弾性体部１４とキートップ１２とのつなぎ目から液体がベース１３内部に浸入することもない。さらに、このような押しボタン１０によれば、排出路３０が、空間Ｓに浸入した液体を外部に排出するので、空間Ｓに液体が溜まることを防止あるいは抑制することができる。
【００３９】
§２  構成例
（押しボタン１０の構成）
本開示の一態様の押しボタン１０の概略構成について説明する。図２の（ａ）は押しボタン１０の平面図、図２の（ｂ）は正面図、図２の（ｃ）は側面図である。図２の（ａ）〜（ｃ）に示すように、押しボタン１０は、平面視において略三角形をなす薄型の押しボタンである。押しボタン１０は、ベゼル１１とベース１３と、これらの間に押下操作可能に支持されたキートップ１２を有する。押しボタン１０の押下方向の寸法に相当する厚さは、例えば１１．５ｍｍ程度の厚さに設計されている。なお、本発明の押しボタンにおいて、平面視した場合の形状は、略三角形に限るものではない。
【００４０】
図３は押しボタン１０の分解斜視図である。図４は、図２の（ａ）のＢ−Ｂ線矢視断面図である。図５は、ベース１３の表側の斜視図である。図６は、ベゼル１１の裏側の斜視図である。
【００４１】
図３、図４に示すように、押しボタン１０は、上述したベゼル１１、ベース１３、キートップ１２の他、弾性体部１４、復帰バネ（ばね部品）１５、押下検出部１６、ＬＥＤ基板１７および裏カバー１８等を備えている。
【００４２】
ベース１３は、キートップ１２およびベゼル１１を支持し、操作部３に取り付けられる部分でもある（図１の（ｃ）参照）。ベース１３は、ベゼル１１を発光させる光を伝播する導光部でもある。
【００４３】
図５に示すように、ベース１３は、外周部に断面略Ｈ型のＨ型溝部１３１を有し、このＨ型溝部１３１よりも内側の中央部に、透明材料より形成された視認領域部１３２を有する。Ｈ型溝部１３１の内側の壁である内側壁１３３は上方に突出しており、キートップ１２の押下時および復帰時にキートップ１２の移動をガイドするガイド壁とし機能する（図４参照）。
【００４４】
また、Ｈ型溝部１３１の外側の壁でもある外周壁１３４は、上部に外側に向かって延設された肉厚部１３５を有し、該肉厚部１３５にベゼル１１が支持されている（図４参照）。このうち、Ｈ型溝部１３１の底壁１３６、外周壁１３４、および肉厚部１３５が、導光部として機能する。なお、本実施形態では、押しボタン１０が水平面に配置されたと仮定して、押下方向を下方、復帰方向を上方として説明する。また、押しボタン１０における操作される側を表側、取り付ける側を裏側とも称する。
【００４５】
また、ベース１３には、ベース１３の内部と外部との空気の出入りを可能にする空気穴１３２ａが設けられている。本実施形態では、視認領域部１３２における内側壁１３３との境に２箇所形成されている。空気穴１３２ａは必須ではないが、後述するように設けることが好ましい。
【００４６】
キートップ１２は、図４に示すように、少なくともベース１３の視認領域部１３２と対向する中央部が透明材料よりなり肉厚に形成されている。キートップ１２は、裏面側外周部に、ベース１３の内側壁１３３が入り込むガイド溝１２１有している。ガイド溝１２１の外側の壁でもある外周壁１２２の下端部は、中央部分よりも上方に位置し、外側に向かって延設されたフランジ部１２３を有する。該フランジ部１２３の下面に弾性体部１４が一体に設けられている。
【００４７】
弾性体部１４が一体に設けられたキートップ１２は、ベース１３の上方より被せられ、ベース１３の内側壁１３３がガイド溝１２１に入り込んだ状態でベース１３に押下可能に支持されている。
【００４８】
ベゼル１１は、透光性を有しており、押しボタン１０の上面の一部および側面をカバー（保護）するためのカバー部材である。図６に示すように、ベゼル１１は、キートップ１２の外周部に設けられ、キートップ１２の中央部が押下方向に移動する開口１１１を有する。キートップ１２は、押下げられていない状態で、ベゼル１１の開口１１１を通して中央部が上方に突出している（図４参照）。また、ベゼル１１は、拡散材になっており、導光部を介して照射された光を拡散する。
【００４９】
このようなベゼル１１は、キートップ１２を支持している状態のベース１３の上方より被せられ、ベース１３の肉厚部１３５に、肉厚部１３５の外周面を覆った状態で支持されている。そして、ベース１３に、弾性体部１４の外周部を間に挟み込んだ状態で、ネジ２０（図３参照）にて固定される。
【００５０】
復帰バネ１５および押下検出部１６は、図３、図４に示すように、ベース１３のＨ型溝部１３１の上側に配置されている。復帰バネ１５は、押下されたキートップ１２を元の状態に戻す部材であり、Ｈ型溝部１３１の底壁１３６とキートップ１２のフランジ部１２３との間に（弾性体部１４を介して）３個配置されている。押下検出部１６は、押圧センサ(感圧部)２１を備え、キートップ１２の押下を検出する電気部品である。図３の例では押圧センサ２１は３個配置されている。
【００５１】
ＬＥＤ基板１７および裏カバー１８は、ベース１３のＨ型溝部１３１の下側の空間に配置されている。ＬＥＤ基板１７は、押しボタン１０を発光させるためのＬＥＤ（光源）１９を複数備えた電気部品である。ＬＥＤ１９の光は、底壁１３６より外周壁１３４および肉厚部１３５を介してベゼル１１に伝播され、ベゼル１１を発光させる。裏カバー１８は、Ｈ型溝部１３１の下側の空間を塞ぐ。
【００５２】
弾性体部１４は、キートップ１２の外周部のフランジ部１２３の下面に、キートップ１２と一体かつフランジ状に設けられている。弾性体部１４は、キートップ１２とベゼル１１との間から浸入した液体が、ベース１３の内部に浸入することを阻止するものである。詳細については後述するが、図４に示すように、弾性体部１４の外側端部１４２は肉厚に形成されており、この外側端部１４２がベース１３とベゼル１１との間に挟持され、防水パッキンとして機能する。
【００５３】
図７はキートップ１２および弾性体部１４の表側の斜視図である。図８は、キートップ１２および弾性体部１４の裏側の斜視図である。図７、図８に示すように、弾性体部１４は、キートップ１２に取り付けられている部分と外側端部１４２との間に、表側に凸をなすように撓んだ薄肉の撓み部１４１を有する。撓み部１４１は、キートップ１２の押下操作時に弾性体部１４が突っ張って操作性を阻害しないようにするためのゆとりを生み出す部分である（図１０の（ｂ）参照）。撓み部１４１は、弾性体部１４の全周に渡って形成されている。
【００５４】
また、図８に示すように、弾性体部１４の裏面には、押下検出部１６の押圧センサ２１に接触する押圧部１４６と、キートップ１２の押下時に変形してクリック感を与えるクリック創出部１４５が設けられている。本実施形態では、押圧部１４６は、押圧センサ２１に対応して３箇所に設けられ、クリック創出部１４５は、略三角形の頂点と、頂点と対向する辺の中央の２箇所にそれぞれ配置されている。
【００５５】
図９の（ａ）は、押しボタン１０における押下前の状態を示す押圧部１４６周辺の要部断面図であり、図９の（ｂ）は押下状態を示す押圧部１４６周辺の要部断面図である。図８の（ａ）（ｂ）に示すように、押圧部１４６がキートップ１２の押下時に押下検出部１６の押圧センサ２１に接触し、遊技者がキートップ１２を押下したことが検出される。押下検出部１６にて検出された結果は、図示しない押しボタン１０の制御部またはスロットマシン１の制御部へと出力される。
【００５６】
図１０の（ａ）は、押しボタン１０における押下前の状態を示すクリック創出部１４５周辺の要部断面図であり、図１０の（ｂ）は押下状態を示すクリック創出部１４５周辺の要部断面図である。図１０の（ａ）（ｂ）に示すように、クリック創出部１４５がキートップ１２の押下動作に伴って変形することで、遊技者がキートップ１２を押下したときに、遊技者に対してクリック感を与えることができる。
【００５７】
このように、弾性体部１４が弾性体より構成されることを利用して、弾性体部１４に押圧部１４６およびクリック創出部１４５を一体に形成することで、コストダウン、部品点数の削減を図ることができる。
【００５８】
（押しボタン１０の防水構造）
次に、図４〜図８、図１１を用いて、押しボタン１０の防水構造について説明する。図４に示すように、弾性体部１４は、キートップ１２の外周部のフランジ部１２３の下面に、キートップ１２と一体かつフランジ状に設けられている。弾性体部１４をキートップ１２と一体に設ける方法としては、例えば、接着や２色成形を用いることができる。その他の方法でもよい。
【００５９】
弾性体部１４は、外側端部１４２が肉厚に形成され、外側端部１４２がベース１３の肉厚部１３５に形成された受部１３７（図５参照）に受けられている。図５に示すように、受部１３７は、外側端部１４２が嵌る段差である。受部１３７の段の高さは、ベゼル１１の挟持面１１２とで外側端部１４２に圧を掛けた状態で挟持できるように、段の高さは外側端部１４２の肉厚よりも低く形成されている。
【００６０】
外側端部１４２の表側にはベゼル１１の挟持面１１２（図６参照）が当接している。挟持面１１２は平面よりなり、ベース１３の肉厚部１３５の上面を受部１３７の外側を含めて覆う平面よりなる。
【００６１】
外側端部１４２は、このような受部１３７と挟持面１１２との間で圧を掛けて挟持され、防水パッキンとして機能している。
【００６２】
図１１は、キートップ１２とベゼル１１との間より浸入した液体がベース１３内部へ浸入することを阻止する状態を示す要部断面図である。図１１に示すように、押しボタン１０に液体がこぼされると、液体はキートップ１２とベゼル１１の間から、キートップ１２とベゼル１１と弾性体部１４とで区画された空間Ｓに入り込む。浸入経路を矢印Ｙ１にて示す。しかしながら、一体に形成されているキートップ１２と弾性体部１４との間に隙間は存在しないため、キートップ１２と弾性体部１４との間かからベース１３内部へ液体が浸入することはない。また、外側端部１４２が防水パッキンとして機能しているので、ベース１３とベゼル１１との隙間からベース１３内部へ液体が浸入することもない。
【００６３】
これにより、ベース１３の内部に配置された押下検出部１６およびＬＥＤ基板１７等の電気部品と液体とが接触することを防ぐことができる。また、押しボタン１０における視認領域部１３２に液体が入り込むことを阻止して、キートップ１２越しに見る表示装置（図１の（ｃ）参照）に表示された画像の視認性が損なわれることを防ぐことができる。
【００６４】
さらに、本実施形態では、より好ましい構成として、外側端部１４２の表面側に第１リブ１４３ａが形成されると共に、外側端部１４２の裏面側に第２リブ１４３ｂが形成されている。第１リブ１４３ａは、図７に示すように、後述する排出路３０と連通する排出口１４４と、ネジ２０（図３参照）の挿入穴を除いて、外側端部１４２の形状に沿って形成されている。第２リブ１４３ｂは、図８に示すように、ネジ２０（図３参照）の挿入穴を除いて、外側端部１４２の形状に沿って形成されている。
【００６５】
そして、第１リブ１４３ａに合わせて、ベゼルの挟持面１１２には第１リブ１４３ａが嵌合する第１リブ受溝１１３（６参照）が形成され、第２リブ１４３ｂに合わせて、ベース１３の受部１３７には第２リブ１４３ｂが嵌合する第２リブ受溝１３８（図５参照）が形成されている。本実施の形態では、外側端部１４２の表裏両面に、リブとリブ受溝とを設けたが、少なくとも第１リブ１４３ａおよび第１リブ受溝１１３が設けられていればよい。
【００６６】
図１０の(ｂ)に示すように、キートップ１２の押下に伴って弾性体部１４の形状が変化しても、第１リブ１４３ａおよび第２リブ１４３ｂの形状は維持される。これにより、キートップ１２の押下に伴って弾性体部が変形しても、安定して防水性を維持でできる。詳細には、このとき、ベゼル１１側の外側端部１４２には、挟持面１１２から離れる方向の力が加わる。このような力が加わっても、第１リブ１４３ａにてシール性が維持され、防水性を高めることができる。
【００６７】
そして、より好ましくは、両方設けることである。これにより、万一、第１リブ１４３ａによるシール性が破られたとしても、第２リブ１４３ｂにてシール性が維持され、防水性を高めることができる。第２リブ１４３ｂは、押下の際、第２リブ受溝１３８に強く押し付けられるので、外側端部１４２と受部１３７とのシール性をより確実に保持する。
【００６８】
また、このような弾性体部１４が設けられた押しボタン１０においては、キートップ１２の復帰時、空気があらゆる隙間からベース１３内部へと強い力で吸い込まれる。そのため、経年変化でシール性の弱い部分が生じると、その部分から空気と共に液体がベース１３内部に吸い込まれる恐れがある。本実施形態では、上述したように、ベース１３に空気穴１３２ａが設けられているので、経年変化でシール性の弱い部分が生じたとしても、キートップ１２の復帰時の負圧による液体の吸込みを効果的に防止することができる。また、キートップ１２の復帰もスムーズになる。
【００６９】
（押しボタン１０の排出路）
次に、図５〜図８、図１２〜図１４を用いて、押しボタン１０の排出路について説明する。図１２は、図２の（ａ）のＣ−Ｃ線矢視断面図である。図１２に示すように、押しボタン１０は、空間Ｓと連通し、空間Ｓに浸入した液体を外部に排出する排出路３０を備えている。排出路３０は、ベゼル１１における外側端部１４２と当接する挟持面１１２に形成された排出凹部１１４（図６参照）と、ベース１３に排出凹部１１４に対応して形成された排出溝部１３９（図５参照）とを備える。排出凹部１１４は、弾性体部１４に形成された排出口１４４に対応して形成されている。図７に示すように、弾性体部１４には、排出口１４４が３箇所に設けられているので、図５、図６に示すように、排出溝部１３９および排出凹部１１４も３箇所形成されている。
【００７０】
図１３は、押しボタン１０における排出路３０を示すキートップ１２および弾性体部１４の平面図である。図１３に示すように、キートップ１２とベゼル１１との間より浸入した液体は、弾性体部１４の表面側（ベゼル１１側）を伝って、矢印Ｙ２に示すように排出口１４４へと流れ込む。弾性体部１４には、排出口１４４が３箇所に設けられているので、３箇所から排出されることとなる。
【００７１】
図１４は、キートップ１２とベゼル１１との間より浸入した液体を、排出路３０を用いて外部に排出する経路を示す要部断面図である。図１４に示すように、押しボタン１０に液体がこぼされると、液体は、キートップ１２とベゼル１１の間から、キートップ１２とベゼル１１と弾性体部１４とで区画された空間Ｓに浸入する。空間Ｓに浸入した液体は、矢印Ｙ３に示すようは、排出路３０を通って外部へと排出される。
【００７２】
弾性体部１４にてベース１３内部への液体の浸入経路を塞ぐことで、ベース１３内部への液体の侵入は阻止できる。しかしながら、キートップ１２とベゼル１１と弾性体部１４とで区画された空間Ｓに残留した液体が糖分を含んでいる場合など粘化してキートップ１２の操作性を阻害する。
【００７３】
押しボタン１０においては、弾性体部１４に加えて、空間Ｓと連通し、該空間Ｓに浸入した液体を外部に排出する排出路３０を備えているので、排出路３０を介して液体は空間Ｓに溜まることなく外部に排出される。これにより、こぼされた液体が粘化してキートップ１２の操作性を阻害するといった不具合を極力抑えることができる。
【００７４】
なお、本実施形態では、ベース１３にベゼル１１側の排出凹部１１４に対応して排出溝部１３９（図５参照）を形成したが、ベゼル１１側に形成してもよいし、ベース１３とベゼル１１の両方に設けることもできる。ベース１３やベゼル１１に凹部を設けることで、排出路を容易に形成することができる。
【００７５】
§３  変形例
なお、前述の実施形態では、平面視で略三角形状の押しボタン１０に排出路３０を３箇所の設ける構成を例示したが、例えば図１５の（ａ）〜（ｄ）に示すように、三角形や、丸型、多角形、矩形等の押しボタンに適用してもよい。各形状における丸印を付した位置が、排出路３０を設ける箇所として好ましい。角部に排出路３０を設けることで、押しボタンが水平面に取り付けられたとしても、液体の効果的に排出することができる。
【００７６】
また、図１６に示すように、押しボタン１０が水平面に配置される場合、弾性体部１４における表側（ベゼル１１側）の面が、排出路３０に向かって低くなる傾斜部１４９を有する構成とすることが好ましい。これにより、押しボタン１０が水平面に配置される場合にも、空間Ｓに浸入した液体を排出路３０と案内して、残留し難くすることができる。
【００７７】
また、図示してはいないが、押しボタン１０から排出された液体が、図１に示す透明板６に形成された開口６ａから押しボタン１０の裏面側に浸入することを阻止するために。ベース１３の外周下部に、スポンジやゴムからなる第２のパッキンを設けることが好ましい。
【符号の説明】
【００７８】
１  スロットマシン（遊技機）
３  操作部
４  筐体
５  表示装置
５ａ  表示画面
６  透明板
６ａ、１１１  開口
１０  遊技機用押しボタン
１１  ベゼル（枠部）
１２  キートップ（ボタン本体）
１３  ベース
１４  弾性体部
１５  復帰バネ（バネ部品）
１６  押下検出部
１７  ＬＥＤ基板
１８  裏カバー
１９  ＬＥＤ
２１  押圧センサ
３０  排出路
１１２  挟持面
１１３  第１リブ受溝
１１４  排出凹部（排出路）
１２１  ガイド溝
１２２  外周壁
１２３  フランジ部
１３１  Ｈ型溝部
１３２  視認領域部
１３２ａ  空気穴
１３３  内側壁
１３４  外周壁
１３５  肉厚部
１３６  底壁
１３７  受部
１３８  第２リブ受溝
１３９  排出溝部（排出路）
１４２  外側端部
１４３ａ  第１リブ
１４３ｂ  第２リブ
１４４  排出口
１４５  クリック創出部
１４６  押圧部
１４９  傾斜部
Ｓ  空間
【図１】
2020039813.tif 000003
【図２】
2020039813.tif 000004
【図３】
2020039813.tif 000005
【図４】
2020039813.tif 000006
【図５】
2020039813.tif 000007
【図６】
2020039813.tif 000008
【図７】
2020039813.tif 000009
【図８】
2020039813.tif 000010
【図９】
2020039813.tif 000011
【図１０】
2020039813.tif 000012
【図１１】
2020039813.tif 000013
【図１２】
2020039813.tif 000014
【図１３】
2020039813.tif 000015
【図１４】
2020039813.tif 000016
【図１５】
2020039813.tif 000017
【図１６】
2020039813.tif 000018